(57)【要約】      （修正有）【課題】脳血管疾患の診断方法の提供。【解決手段】被検試料中のＰＴＸ３濃度を測定することを特徴とする、脳血管疾患の診断方法であって、脳血管疾患が、脳梗塞または一過性脳虚血発作であり、脳血管疾患が、脳塞栓、ラクナ梗塞または一過性脳虚血発作である。また脳塞栓、ラクナ梗塞および一過性脳虚血発作を分別診断するものである。被検試料が、血液、血清または血漿であり、抗ＰＴＸ３抗体を用いて被検試料中のＰＴＸ３タンパク質濃度を測定するものである。【選択図】なし【特許請求の範囲】
【請求項１】
被検試料中のＰＴＸ３濃度を測定することを特徴とする脳血管疾患の診断方法。
【請求項２】
脳血管疾患が、脳梗塞または一過性脳虚血発作である請求項１記載の診断方法。
【請求項３】
脳血管疾患が、脳塞栓、ラクナ梗塞または一過性脳虚血発作である請求項１記載の診断方法。
【請求項４】
脳塞栓、ラクナ梗塞および一過性脳虚血発作を分別診断するものである請求項１記載の診断方法。
【請求項５】
被検試料が、血液、血清または血漿である請求項１〜４のいずれか１項記載の診断方法。
【請求項６】
抗ＰＴＸ３抗体を用いて被検試料中のＰＴＸ３タンパク質濃度を測定するものである請求項１〜５のいずれか１項記載の診断方法。
【請求項７】
抗ＰＴＸ３抗体を含有する脳血管疾患の診断薬。
【請求項８】
脳血管疾患が、脳梗塞または一過性脳虚血発作である請求項７記載の診断薬。
【請求項９】
脳血管疾患が、脳塞栓、ラクナ梗塞または一過性脳虚血発作である請求項７記載の診断薬。
【請求項１０】
脳塞栓、ラクナ梗塞および一過性脳虚血発作を分別診断するものである請求項７記載の診断薬。
【発明の詳細な説明】
【技術分野】
【０００１】
本発明は、脳血管疾患への罹患を判定するための方法および診断薬に関する。
【背景技術】
【０００２】
脳血管疾患は、脳の血管の器質的もしくは機能的異常により神経症状をもたらす病態の総称である。脳血管疾患は脳出血と脳梗塞に大別され、その他、神経症状が２４時間以内に消失することを特徴とする一過性脳虚血発作（ＴＩＡ）が含まれる。脳梗塞とは、虚血により脳組織に壊死が生じる状態をいう。脳梗塞は原因により大きく二分され、心臓や頚動脈等に生じた血栓が飛来して脳動脈を閉塞させる脳塞栓と、脳動脈の粥状硬化等により脳動脈自体に血栓が生じて脳動脈を閉塞させる脳血栓に分類される。さらに、脳血栓は、太い脳動脈が閉塞するアテローム性梗塞と、細い穿通枝が閉塞し梗塞巣の長径が１５mm未満であるラクナ梗塞に分類される。
【０００３】
脳血管疾患の診断は、主としてコンピューター断層撮影（ＣＴ）、核磁気共鳴イメージング（ＭＲＩ）等の画像診断によって行われている。末梢血を用いて短時間に行うことができ、簡便で迅速な検査が開発されれば臨床的に有用性が高い。
特に、一過性脳虚血発作（ＴＩＡ）の新たな診断方法に対する要請は高い。ＴＩＡでは脳梗塞と異なり脳に壊死が生じないため、ＣＴやＭＲＩ等の一般的な画像診断では判定することができない。ＴＩＡは、症状が２４時間以内に消失するが、過去にＴＩＡを発症したことがある患者では、その後脳梗塞を発症するリスクは１０倍にものぼる。したがって、ＴＩＡを類似の症状を示す他の疾患（てんかん発作、脳腫瘍、偏頭痛、低血糖等）と鑑別する診断は非常に重要である。
【０００４】
ＰＴＸ３は、Ｐｅｎｔｒａｘｉｎ、Ｐｅｎｔａｘｉｎ、ＴＳＧ−１４、ＭＰＴＸ３とも呼ばれ、インターロイキン１(ＩＬ−１)刺激を受けたヒト臍帯内皮細胞に発現しているものとして発見されたペントラキシン（Ｐｅｎｔｒａｘｉｎ）ファミリーに属する分泌タンパク質である（非特許文献１）。
ペントラキシンファミリーはＬｏｎｇ  ＰｅｎｔｒａｘｉｎとＳｈｏｒｔ  Ｐｅｎｔｒａｘｉｎに大別される。炎症性タンパクとして知られているＣ  ｒｅａｃｔｉｖｅ  ｐｒｏｔｅｉｎ（ＣＲＰ）やｓｅｒｕｍ  ａｍｙｌｏｉｄ  Ｐ  ｃｏｍｐｏｎｅｎｔ（ＳＡＰ）はＳｈｏｒｔ  Ｐｅｎｔｒａｘｉｎに属し、炎症により生じるＩＬ−６に反応して肝臓で産生される。しかし、ＰＴＸ３はＣＲＰやＳＡＰと異なりＩＬ−６による誘導を受けないことが知られている。（非特許文献１、２）。
【０００５】
本発明者らにより、血管障害においてＰＴＸ３濃度が上昇することが明らかにされているが（特許文献１）、脳血管疾患の診断ができることは知られていない。
【非特許文献１】Breviario et al.: J. Biol. Chem., 267(31), 22190-7 (1992)
【非特許文献２】Domyaku Koka (Arteriosclerosis), 24 (7-8), 375-80 (1996)
【特許文献１】WO2005/080981
【発明の開示】
【発明が解決しようとする課題】
【０００６】
本発明の目的は、治療方針を決定するために有用な脳血管疾患の診断方法を提供することにある。
【課題を解決するための手段】
【０００７】
本発明者らは、抗ＰＴＸ３モノクローナル抗体を用いて血中および病変部のＰＴＸ３濃度を測定し、その濃度と種々の疾患との関係について検討してきたところ、脳血管疾患において、血中にＰＴＸ３が増加することを見出し、特に一過性脳虚血（TIA）、脳塞栓、ラクナ梗塞のＰＴＸ３の上昇に特徴を発見し、これらが分別診断できることを見出した。その結果、ＰＴＸ３濃度の測定により患者毎に適切な治療指針を決定することができることを見出し、本発明を完成するに至った。
【０００８】
すなわち、本発明は、被検試料中のＰＴＸ３濃度を測定することを特徴とする、脳血管疾患の診断方法を提供するものである。
また、本発明は、ＰＴＸ３測定試薬を含有する脳血管疾患の診断薬を提供するものである。
また、本発明は、ＰＴＸ３測定試薬の、脳血管疾患の診断薬製造のための使用を提供するものである。
【発明の効果】
【０００９】
本発明によれば、脳血管疾患を簡便に短時間で診断することができ、適切な治療方針を策定するために有用である。
【発明を実施するための最良の形態】
【００１０】
本発明において測定とは、定量的または非定量的な測定を含み、例えば、非定量的な測定としては、単にＰＴＸ３タンパク質が存在するか否かの測定、ＰＴＸ３タンパク質が一定の量以上存在するか否かの測定、ＰＴＸ３タンパク質の量を他の試料（例えば、コントロール試料など）と比較する測定などを挙げることができる。定量的な測定としては、ＰＴＸ３タンパク質の濃度の測定、ＰＴＸ３タンパク質の量の測定などを挙げることができる。なおＰＴＸ３遺伝子の塩基およびアミノ酸配列の情報はＧｅｎｂａｎｋ等の公共データベースより得ることができ、例えばＧｅｎｂａｎｋのアクセッション番号ＮＭ＿００２８５２に開示されている。
【００１１】
被検試料とは、ＰＴＸ３のタンパク質が含まれる可能性のある試料であれば特に制限されないが、哺乳類などの生物の体から採取された試料が好ましく、さらに好ましくはヒトから採取された試料である。被検試料の具体的な例としては、例えば、血液、間質液、血漿、血管外液、脳脊髄液、滑液、胸膜液、血清、リンパ液、唾液、尿、腸組織などを挙げることができるが、好ましいのは血液、血清、血漿である。又、採取された腸組織の培養液などの、被検試料から得られる試料も本発明の被検試料に含まれる。
【００１２】
患者より被検試料を採取し、被検試料のＰＴＸ３濃度を測定し、健常人のＰＴＸ３濃度の分布より求められた基準値と比較して高値であれば脳血管疾患の存在が疑われる。脳血管疾患は、好ましくは脳梗塞または一過性虚血発作（ＴＩＡ）である。脳梗塞にはラクナ梗塞、脳塞栓が含まれる。
【００１３】
また、発症時間４８時間以内の患者、好ましくは発症時間２４時間以内の患者より被検試料を採取し、被検試料のＰＴＸ３濃度を測定し、健常人のＰＴＸ３濃度の分布より求められた基準値の１倍〜４倍であればラクナ梗塞、２〜６倍であれば一過性脳虚血発作、４〜８倍以上であれば脳塞栓の疑いが強いと判定することができる。ここで発症時間とは、患者が症状を自覚した時刻を起点としてその後経過した時間をいう。被検試料の採取は経時的に行い、発症後４８時間まで、好ましくは２４時間までに最も高い濃度を示したＰＴＸ３値を判定に用いることもできる。被検試料の採取間隔はどのような時間にしても良いが、６〜１２時間の間隔で採取するのが望ましい。
【００１４】
発症時間６時間以内の患者より被検試料を採取し、被検試料のＰＴＸ３濃度を測定し、健常人のＰＴＸ３濃度の分布より求められた基準値の１〜３倍であればラクナ梗塞、３〜５倍以上であれば脳塞栓であるとの疑いが強いと判定される。さらに、同一の脳梗塞患者より得られた発症時間６時間以内（ベース値）とその後１２時間から２４時間後の被検試料のＰＴＸ３濃度を経時的に測定し、ＰＴＸ３濃度の最も高い値（ピーク値）より発症６時間以内のＰＴＸ３濃度（ベース値）を引いた値が、健常人のＰＴＸ３濃度の分布より求められた基準値の２〜５倍であればラクナ梗塞、５〜１２倍以上であれば脳塞栓の疑いが強いと判定することができる。被検試料の採取間隔はどのような時間にしても良いが、６〜１２時間、若しくは１２〜２４時間の間隔で採取するのが望ましい。
【００１５】
また、ＴＩＡ患者において、発症時間６〜２４時間までのＰＴＸ３濃度と発症時間２４時間以降のＰＴＸ３濃度を比較し、発症時間２４時間以降のＰＴＸ３濃度が高い場合には、当該患者はＴＩＡの再発または脳梗塞の発作を起こす可能性が高いと判定される。あるいは、発症時間２４時間以降のＰＴＸ３濃度を経時的に測定したとき、経時的に上昇傾向を示す場合にも当該患者はＴＩＡの再発または脳梗塞の発作を起こす可能性が高いと判定される。
【００１６】
本発明方法においては、ＰＴＸ３濃度の測定は、抗ＰＴＸ３抗体を用いる免疫学的測定法が好ましい。以下、抗ＰＴＸ３抗体を用いた測定法について詳細に説明する。
【００１７】
本発明で用いられる抗ＰＴＸ３抗体はＰＴＸ３タンパク質に特異的に結合すればよい。好ましくは、ＰＴＸ３の立体構造に高い結合親和性を示し、より好ましくはＰＴＸ３の立体構造に高い結合親和性を示し、且つ、ＣＲＰやＳＡＰに交差反応しない抗体である。さらに好ましくは、ＰＰＭＸ０１０２（ＦＥＲＭ  Ｐ−１０３２６）、ＰＰＭＸ０１０４（ＦＥＲＭ  ＢＰ−１０７１９）およびＰＰＭＸ０１０５（ＦＥＲＭ  ＢＰ−１０７２０）であり、最も好ましくは、ＰＰＭＸ０１０４（ＦＥＲＭ  ＢＰ−１０７１９）およびＰＰＭＸ０１０５（ＦＥＲＭ  ＢＰ−１０７２０）である。
【００１８】
抗体の由来、種類（モノクローナル、ポリクローナル）および形状を問わない。具体的には、マウス抗体、ラット抗体、ヒト抗体、キメラ抗体、ヒト型化抗体などの公知の抗体を用いることができる。抗体はポリクローナル抗体でもよいが、モノクローナル抗体であることが好ましい。
【００１９】
また、免疫学的測定法において支持体に固定される抗ＰＴＸ３抗体と標識物質で標識される抗ＰＴＸ３抗体はＰＴＸ３分子の同じエピトープを認識してもよいし、異なるエピトープを認識してもよい。
【００２０】
本発明で使用される抗ＰＴＸ３抗体は、公知の手段を用いてポリクローナルまたはモノクローナル抗体として得ることができる。本発明で使用される抗ＰＴＸ３抗体として、特に哺乳動物由来のモノクローナル抗体が好ましい。哺乳動物由来のモノクローナル抗体は、ハイブリドーマにより産生されるもの、および遺伝子工学的手法により抗体遺伝子を含む発現ベクターで形質転換した宿主に産生されるものを含む。
【００２１】
モノクローナル抗体産生ハイブリドーマは、基本的には公知技術を使用し、以下のようにして作製できる。すなわち、ＰＴＸ３を感作抗原として使用して、これを通常の免疫方法にしたがって免疫し、得られる免疫細胞を通常の細胞融合法によって公知の親細胞と融合させ、通常のスクリーニング法により、モノクローナルな抗体産生細胞をスクリーニングすることによって作製できる。
【００２２】
具体的には、モノクローナル抗体を作製するには次のようにすればよい。
まず、抗体取得の感作抗原として使用されるＰＴＸ３を、入手可能な細胞の培養上清から精製して得る。あるいは、特表２００２−５０３６４２に開示された方法に従い得ることもできる。
次に、この精製ＰＴＸ３タンパク質を感作抗原として用いる。あるいは、ＰＴＸ３の部分ペプチドを感作抗原として使用することもできる。この際、当該部分ペプチドはヒトＰＴＸ３のアミノ酸配列より化学合成により得ることもできるし、ＰＴＸ３遺伝子の一部を発現ベクターに組込んで得ることもでき、さらに天然のＰＴＸ３をタンパク質分解酵素により分解することによっても得ることができる。部分ペプチドとして用いるＰＴＸ３の部分および大きさは特に限定されない。
【００２３】
感作抗原で免疫される哺乳動物としては、特に限定されるものではないが、細胞融合に使用する親細胞との適合性を考慮して選択するのが好ましく、一般的にはげっ歯類の動物、例えば、マウス、ラット、ハムスター、その他、ウサギ、サル等が使用される。
【００２４】
感作抗原の動物への免疫は公知の方法に従って行うことができる。例えば、一般的方法として、感作抗原を哺乳動物の腹腔内または皮下に注射することにより行われる。具体的には、感作抗原をＰＢＳ（Phosphate-Buffered Saline）や生理食塩水等で適当量に希釈、懸濁したものに所望により通常のアジュバント、例えばフロイント完全アジュバントを適量混合し、乳化後、哺乳動物に４〜２１日毎に数回投与する。また、感作抗原免疫時に適当な担体を使用することもできる。特に分子量の小さい部分ペプチドを感作抗原として用いる場合には、アルブミン、キーホールリンペットヘモシアニン等の担体タンパク質と結合させて免疫することが望ましい。
【００２５】
このように哺乳動物を免疫し、血清中に所望の抗体レベルが上昇するのを確認した後に、哺乳動物から免疫細胞を採取し、細胞融合に付されるが、好ましい免疫細胞としては、特に脾細胞が挙げられる。
【００２６】
前記免疫細胞と融合される他方の親細胞として、哺乳動物のミエローマ細胞を用いる。このミエローマ細胞は、公知の種々の細胞株、例えば、P3（P3x63Ag8.653）（J. Immnol.（1979）123, 1548-1550）、P3x63Ag8U.1（Current Topics in Microbiology and Immunology（1978）81, 1-7）、NS-1（Kohler. G. and Milstein, C. Eur. J. Immunol.（1976）6, 511-519）、MPC-11（Margulies. D.H. et al., Cell（1976）8, 405-415）、SP2/0（Shulman, M. et al., Nature（1978）276, 269-270）、FO（de St. Groth, S. F. et al., J. Immunol. Methods（1980）35, 1-21）、S194（Trowbridge, I. S. J. Exp. Med.（1978）148, 313-323）、R210（Galfre, G. et al., Nature（1979）277, 131-133）等が好適に使用される。
【００２７】
前記免疫細胞とミエローマ細胞との細胞融合は、基本的には公知の方法、たとえば、ケーラーとミルステインらの方法（Kohler. G. and Milstein, C.、Methods Enzymol.（1981）73, 3-46）等に準じて行うことができる。
【００２８】
より具体的には、前記細胞融合は、例えば細胞融合促進剤の存在下に通常の栄養培養液中で実施される。融合促進剤としては、例えばポリエチレングリコール（ＰＥＧ）、センダイウイルス（ＨＶＪ）等が使用され、さらに所望により融合効率を高めるためにジメチルスルホキシド等の補助剤を添加使用することもできる。
【００２９】
免疫細胞とミエローマ細胞との使用割合は任意に設定することができる。例えば、ミエローマ細胞に対して免疫細胞を１〜１０倍とするのが好ましい。前記細胞融合に用いる培養液としては、例えば、前記ミエローマ細胞株の増殖に好適なＲＰＭＩ１６４０培養液、ＭＥＭ培養液、その他、この種の細胞培養に用いられる通常の培養液が使用可能であり、さらに、牛胎児血清（ＦＣＳ）等の血清補液を併用することもできる。
【００３０】
細胞融合は、前記免疫細胞とミエローマ細胞との所定量を前記培養液中でよく混合し、予め３７℃程度に加温したポリエチレングリコール（ＰＥＧ）（例えば平均分子量１０００〜６０００程度）溶液を通常３０〜６０％（ｗ／ｖ）の濃度で添加し、混合することによって目的とする融合細胞（ハイブリドーマ）を形成する。続いて、適当な培養液を逐次添加し、遠心して上清を除去する操作を繰り返すことによりハイブリドーマの生育に好ましくない細胞融合剤等を除去する。
【００３１】
このようにして得られたハイブリドーマは、通常の選択培養液、例えばＨＡＴ培養液（ヒポキサンチン、アミノプテリンおよびチミジンを含む培養液）で培養することにより選択される。上記ＨＡＴ培養液での培養は、目的とするハイブリドーマ以外の細胞（非融合細胞）が死滅するのに十分な時間（通常、数日〜数週間）継続する。ついで、通常の限界希釈法を実施し、目的とする抗体を産生するハイブリドーマのスクリーニングおよび単一クローニングを行う。
【００３２】
目的とする抗体のスクリーニングおよび単一クローニングは、公知の抗原抗体反応に基づくスクリーニング方法で行えばよい。例えば、ポリスチレン等でできたビーズや市販の９６ウェルのマイクロタイタープレート等の担体に抗原を結合させ、ハイブリドーマの培養上清と反応させ、担体を洗浄した後に酵素標識第２次抗体等を反応させることにより、培養上清中に感作抗原と反応する目的とする抗体が含まれるかどうか決定できる。目的とする抗体を産生するハイブリドーマを限界希釈法等によりクローニングすることができる。この際、抗原としては免疫に用いたものを用いればよい。
【００３３】
また、ヒト以外の動物に抗原を免疫して上記ハイブリドーマを得る他に、ヒトリンパ球をｉｎ  ｖｉｔｒｏでＰＴＸ３に感作し、感作リンパ球をヒト由来の永久分裂能を有するミエローマ細胞と融合させ、ＰＴＸ３への結合活性を有する所望のヒト抗体を得ることもできる（特公平1-59878号公報参照）。さらに、ヒト抗体遺伝子の全てのレパートリーを有するトランスジェニック動物に抗原となるＰＴＸ３を投与して抗ＰＴＸ３抗体産生細胞を取得し、これを不死化させた細胞からＰＴＸ３に対するヒト抗体を取得してもよい（国際特許出願公開番号ＷＯ９４／２５５８５号公報、ＷＯ９３／１２２２７号公報、ＷＯ９２／０３９１８号公報、ＷＯ９４／０２６０２号公報参照）。
【００３４】
このようにして作製されるモノクローナル抗体を産生するハイブリドーマは、通常の培養液中で継代培養することが可能であり、また、液体窒素中で長期保存することが可能である。
【００３５】
当該ハイブリドーマからモノクローナル抗体を取得するには、当該ハイブリドーマを通常の方法に従い培養し、その培養上清として得る方法、あるいはハイブリドーマをこれと適合性がある哺乳動物に投与して増殖させ、その腹水として得る方法などが採用される。前者の方法は、高純度の抗体を得るのに適しており、一方、後者の方法は、抗体の大量生産に適している。
【００３６】
これら抗体断片をコードする遺伝子を構築し、これを発現ベクターに導入した後、適当な宿主細胞で発現させる方法がもちいられる。
【００３７】
また、これらの抗体は、ＰＴＸ３遺伝子によってコードされる蛋白質の全長または一部を認識する特性を失わない限り、抗体断片（フラグメント）等の低分子化抗体や抗体の修飾物などであってもよい。抗体断片の具体例としては、例えば、Ｆａｂ、Ｆａｂ’、Ｆ（ａｂ’）２、Ｆｖ、Ｄｉａｂｏｄｙなどを挙げることができる。このような抗体断片を得るには、ペプシンやパパインによりＩｇＧのＦｃ部分を消化する方法や、これら抗体断片をコードする遺伝子を構築し、これを発現ベクターに導入した後、適当な宿主細胞で発現させればよい（例えば、Co, M. S. et al., J. Immunol. (1994) 152, 2968-2976 ; Better, M. and Horwitz, A. H., Methods Enzymol. (1989) 178, 476-496 ; Pluckthun, A. and Skerra, A., Methods Enzymol. (1989) 178, 497-515 ; Lamoyi, E., Methods Enzymol. (1986) 121, 652-663 ; Rousseaux, J. et al., Methods Enzymol. (1986) 121, 663-669 ; Bird, R. E. and Walker, B. W., Trends Biotechnol. (1991) 9, 132-137参照）。
【００３８】
前記のように産生された抗体は、細胞、宿主動物から分離し均一にまで精製することができる。本発明で使用される抗体の分離、精製はアフィニティーカラムを用いて行うことができる。例えば、プロテインＡカラムを用いたカラムとして、Ｈｙｐｅｒ  Ｄ、ＰＯＲＯＳ、Ｓｅｐｈａｒｏｓｅ  Ｆ．Ｆ．（ＧＥヘルスケア 社製）等が挙げられる。その他、通常のタンパク質で使用されている分離、精製方法を使用すればよく、何ら限定されるものではない。例えば、上記アフィニティーカラム以外のクロマトグラフィーカラム、フィルター、限外濾過、塩析、透析等を適宜選択、組み合わせることにより、抗体を分離、精製することができる（Antibodies A Laboratory Manual. Ed Harlow, David Lane, Cold Spring Harbor Laboratory, 1988）。
【００３９】
抗体の修飾物として、標識物質等の各種分子と結合した抗ＰＴＸ３抗体を使用することもできる。本発明における「抗体」にはこれらの抗体修飾物も包含される。このような抗体修飾物は、得られた抗体に化学的な修飾を施すことによって得ることができる。なお、抗体の修飾方法はこの分野においてすでに確立されている。
【００４０】
本発明において測定するＰＴＸ３は、特に限定されず、全長ＰＴＸ３でも、その断片でもよい。
【００４１】
被検試料に含まれるＰＴＸ３タンパク質の検出方法は特に限定されないが、抗ＰＴＸ３抗体を用いた免疫学的方法により検出することが好ましい。免疫学的方法としては、例えば、ラジオイムノアッセイ、エンザイムイムノアッセイ、蛍光イムノアッセイ、発光イムノアッセイ、免疫沈降法、免疫比濁法、ウエスタンブロット、免疫染色、免疫拡散法などを挙げることができるが、好ましくはエンザイムイムノアッセイであり、特に好ましいのは酵素結合免疫吸着定量法(enzyme-linked immunosorbent assay：ＥＬＩＳＡ)（例えば、sandwich ELISA）である。ＥＬＩＳＡなどの上述した免疫学的方法は当業者に公知の方法により行うことが可能である。
【００４２】
抗ＰＴＸ３抗体を用いた一般的な検出方法としては、例えば、抗ＰＴＸ３抗体を支持体に固定し、ここに被検試料を加え、インキュベートを行い抗ＰＴＸ３抗体とＰＴＸ３タンパク質を結合させた後に洗浄して、抗ＰＴＸ３抗体を介して支持体に結合したＰＴＸ３タンパク質を検出することにより、被検試料中のＰＴＸ３タンパク質の検出を行う方法を挙げることができる。
【００４３】
本発明において用いられる支持体としては、例えば、アガロース、セルロースなどの不溶性の多糖類、シリコーン樹脂、ポリスチレン樹脂、ポリアクリルアミド樹脂、ナイロン樹脂、ポリカーボネイト樹脂などの合成樹脂や、ガラスなどの不溶性の支持体を挙げることができる。これらの支持体は、ビーズやプレートなどの形状で用いることが可能である。ビーズの場合、これらが充填されたカラムなどを用いることができる。プレートの場合、マルチウェルプレート（９６穴マルチウェルプレート等）、やバイオセンサーチップなどを用いることができる。抗ＰＴＸ３抗体と支持体との結合は、化学結合や物理的な吸着などの通常用いられる方法により結合することができる。これらの支持体はすべて市販のものを用いることができる。
【００４４】
抗ＰＴＸ３抗体とＰＴＸ３タンパク質との結合は、通常、緩衝液中で行われる。緩衝液としては、例えば、リン酸緩衝液、Ｔｒｉｓ緩衝液、クエン酸緩衝液、ホウ酸塩緩衝液、炭酸塩緩衝液、などが使用される。また、インキュベーションの条件としては、すでによく用いられている条件、例えば、４℃〜室温にて１時間〜２４時間のインキュベーションが行われる。インキュベート後の洗浄は、ＰＴＸ３タンパク質と抗ＰＴＸ３抗体の結合を妨げないものであれば何でもよく、例えば、Ｔｗｅｅｎ２０等の界面活性剤を含む緩衝液などが使用される。
【００４５】
本発明のＰＴＸ３タンパク質測定方法においては、ＰＴＸ３タンパク質を検出したい被検試料の他に、コントロール試料を設置してもよい。コントロール試料としては、ＰＴＸ３タンパク質を含まない陰性コントロール試料やＰＴＸ３タンパク質を含む陽性コントロール試料などがある。この場合、ＰＴＸ３タンパク質を含まない陰性コントロール試料で得られた結果、ＰＴＸ３タンパク質を含む陽性コントロール試料で得られた結果と比較することにより、被検試料中のＰＴＸ３タンパク質を検出することが可能である。また、濃度を段階的に変化させた一連のコントロール試料を調製し、各コントロール試料に対する検出結果を数値として得て、標準曲線を作成し、被検試料の数値から標準曲線に基づいて、被検試料に含まれるＰＴＸ３タンパク質を定量的に検出することも可能である。
【００４６】
抗ＰＴＸ３抗体を介して支持体に結合したＰＴＸ３タンパク質の測定の好ましい態様として、標識物質で標識された抗ＰＴＸ３抗体を用いる方法を挙げることができる。
例えば、支持体に固定された抗ＰＴＸ３抗体に被検試料を接触させ、洗浄後に、ＰＴＸ３タンパク質を特異的に認識する標識抗体を用いて検出する。
【００４７】
抗ＰＴＸ３抗体の標識は通常知られている方法により行うことが可能である。標識物質としては、蛍光色素、酵素、補酵素、化学発光物質、放射性物質などの当業者に公知の標識物質を用いることが可能であり、具体的な例としては、ラジオアイソトープ(32Ｐ、14Ｃ、125Ｉ、3Ｈ、131Ｉなど)、フルオレセイン、ローダミン、ダンシルクロリド、ウンベリフェロン、ルシフェラーゼ、ペルオキシダーゼ、アルカリホスファターゼ、β−ガラクトシダーゼ、β−グルコシダーゼ、ホースラディッシュパーオキシダーゼ、グルコアミラーゼ、リゾチーム、サッカリドオキシダーゼ、マイクロペルオキシダーゼ、ビオチンなどを挙げることができる。標識物質としてビオチンを用いる場合には、ビオチン標識抗体を添加後に、アルカリホスファターゼなどの酵素を結合させたアビジンをさらに添加することが好ましい。標識物質と抗ＰＴＸ３抗体との結合には、グルタルアルデヒド法、マレイミド法、ピリジルジスルフィド法、過ヨウ素酸法、などの公知の方法を用いることができる。
【００４８】
抗体の酵素標識法としては、ヒンジ法とノンヒンジ法の２つが挙げられるがこれに限定しない。ヒンジ法は、抗体ＩｇＧの抗原結合能を有するＦ（ａｂ’）２部分との間のヒンジ部と呼ばれる部分にあるジルスフィド結合を還元して生成するチオール基を利用してＦａｂ’と酵素分子を結合する方法である。一方、ノンヒンジ法は、抗体のいずれの反応基を利用するかは特定しないが、多くの場合、抗体のアミノ基を利用して抗体分子と酵素分子を結合する方法である。
【００４９】
具体的には、抗ＰＴＸ３抗体を含む溶液をプレートなどの支持体に加え、抗ＰＴＸ３抗体を支持体に固定する。プレートを洗浄後、タンパク質の非特異的な結合を防ぐため、例えばＢＳＡ、ゼラチン、アルブミンなどでブロッキングする。再び洗浄し、被検試料をプレートに加える。インキュベートの後、洗浄し、標識抗ＰＴＸ３抗体を加える。適度なインキュベーションの後、プレートを洗浄し、プレートに残った標識抗ＰＴＸ３抗体を検出する。検出は当業者に公知の方法により行うことができ、例えば、放射性物質による標識の場合には液体シンチレーションやＲＩＡ法により検出することができる。酵素による標識の場合には基質を加え、基質の酵素的変化、例えば発色を吸光度計により検出することができる。基質の具体的な例としては、２，２−アジノビス（３−エチルベンゾチアゾリン−６−スルホン酸）ジアンモニウム塩（ＡＢＴＳ）、１，２−フェニレンジアミン（オルソ−フェニレンジアミン）、３，３’，５，５’−テトラメチルベンジジン（ＴＭＢ）などを挙げることができる。蛍光物質の場合には蛍光光度計により検出することができる。
【００５０】
本発明のＰＴＸ３タンパク質測定方法の特に好ましい態様として、抗体ＩｇＧの抗原結合能とは関係のないＦｃ部分を除去し、一般的な酵素標識法記載の方法で標識をした抗体を用いる方法を挙げることができる。
【００５１】
具体的には、抗ＰＴＸ３抗体を含む溶液をプレートなどの支持体に加え、抗ＰＴＸ３抗体を固定する。プレートを洗浄後、タンパク質の非特異的な結合を防ぐため、例えばＢＳＡなどでブロッキングする。再び洗浄し、被検試料をプレートに加える。インキュベートの後、洗浄し、ペルオキシダーゼ直接標識抗ＰＴＸ３抗体を加える。適度なインキュベーションの後、プレートを洗浄し、酵素に対応した基質を加え、基質の酵素的変化などを指標にＰＴＸ３タンパク質を検出する。
【００５２】
本発明のＰＴＸ３タンパク質測定方法の他の態様として、ＰＴＸ３タンパク質を特異的に認識する一次抗体を一種類以上、および該一次抗体を特異的に認識する二次抗体を一種類以上用いる方法を挙げることができる。
【００５３】
例えば、支持体に固定された一種類以上の抗ＰＴＸ３抗体に被検試料を接触させ、インキュベーションした後、洗浄し、洗浄後に結合しているＰＴＸ３タンパク質を、一次抗ＰＴＸ３抗体および該一次抗体を特異的に認識する一種類以上の二次抗体により検出する。この場合、二次抗体は好ましくは標識物質により標識されている。
【００５４】
本発明のＰＴＸ３タンパク質の測定方法の他の態様としては、凝集反応を利用した検出方法を挙げることができる。該方法においては、抗ＰＴＸ３抗体を感作した担体を用いてＰＴＸ３を検出することができる。抗体を感作する担体としては、不溶性で、非特異的な反応を起こさず、かつ安定である限り、いかなる担体を使用してもよい。例えば、ラテックス粒子、ベントナイト、コロジオン、カオリン、固定羊赤血球等を使用することができるが、ラテックス粒子を使用するのが好ましい。ラテックス粒子としては、例えば、ポリスチレンラテックス粒子、スチレン−ブタジエン共重合体ラテックス粒子、ポリビニルトルエンラテックス粒子等を使用することができるが、ポリスチレンラテックス粒子を使用するのが好ましい。感作した粒子を試料と混合し、一定時間攪拌する。試料中に抗ＰＴＸ３抗体が高濃度で含まれるほど粒子の凝集度が大きくなるので、凝集を肉眼でみることによりＰＴＸ３を検出することができる。また、凝集による濁度を分光光度計等により測定することによっても検出することが可能である。
【００５５】
本発明のＰＴＸ３タンパク質の測定方法の他の態様としては、例えば、表面プラズモン共鳴現象を利用したバイオセンサーを用いた方法を挙げることができる。表面プラズモン共鳴現象を利用したバイオセンサーはタンパク質−タンパク質間の相互作用を微量のタンパク質を用いてかつ標識することなく、表面プラズモン共鳴シグナルとしてリアルタイムに観察することが可能である。例えば、ＢＩＡｃｏｒｅ（Pharmacia 社製）等のバイオセンサーを用いることによりＰＴＸ３タンパク質と抗ＰＴＸ３抗体の結合を検出することが可能である。具体的には、抗ＰＴＸ３抗体を固定化したセンサーチップに、被検試料を接触させ、抗ＰＴＸ３抗体に結合するＰＴＸ３タンパク質を共鳴シグナルの変化として検出することができる。
【００５６】
本発明の測定方法は、種々の自動検査装置を用いて自動化することもでき、一度に大量の試料について検査を行うことも可能である。
【００５７】
本発明は、免疫組織化学染色に用いることもできる。バイオプシーや手術によって得られた組織を当業者に公知の方法で抗ＰＴＸ３抗体を用いて染色することができる。
【００５８】
本発明は、脳血管疾患の診断薬の提供をも目的とするが、該診断薬は抗ＰＴＸ３抗体を含むことが好ましい。ここで診断薬には、キットも含まれる。該診断薬がＥＬＩＳＡ法に基づく場合は、抗体を固相化する担体を含んでいてもよく、抗体があらかじめ担体に結合していてもよい。該診断薬がラテックス等の担体を用いた凝集法に基づく場合は抗体が吸着した担体を含んでいてもよい。また、該診断薬は、適宜、ブロッキング溶液、反応溶液、反応停止液、試料を処理するための試薬等を含んでいてもよい。
【実施例】
【００５９】
以下、実施例により、本発明を具体的に説明する。但し、本発明はこれらの実施例に限定されるものでない。
【００６０】
＜実施例１  血中ＰＴＸ３濃度の経時的変化＞
（１）対象
宮崎大学医学部附属病院を受診した患者のうち、ラクナ梗塞と診断された患者１４名、アテローム血栓性梗塞と診断された患者４名、脳塞栓と診断された患者４例、一過性脳虚血性発作（ＴＩＡ）と診断された患者９名および正常者４名を対象とした。
【００６１】
（２）採血条件
採血は、発症時間４８時間までは、入院時および入院時より６〜１２時間毎に行った。発症時間４８時間以後より１週間後までは、２４時間毎に採血を行った。
発症時間は、患者が症状を自覚した時刻を起点としてその後経過した時間とした。
【００６２】
（３）ＥＬＩＳＡ法によるＰＴＸ３濃度の測定
血中のＰＴＸ３タンパク質を検出するため、ＰＴＸ３のサンドイッチＥＬＩＳＡ系を以下のように構築した。すなわち、９６ウェルプレートにコートする抗体には、ＷＯ２００７／０５５３４０に従って調製したＦ（ａｂ’）２化ＰＰＭＸ０１０４（ＦＥＲＭ  ＢＰ−１０７１９）を５μｇ／ｍＬ、１００μＬ／ｗｅｌｌ、４℃、一晩インキュベーションし固相化を行った。
翌日３００μＬ／ｗｅｌｌの洗浄緩衝液（０．０５％（ｖ／ｖ）Ｔｗｅｅｎ２０，ＰＢＳ）で３回洗浄後、ＡＢＩ社のイムノアッセイスタビライザー（ＡＢＩ  ＃１０−６０１−００１）を１５０μＬ加え、ブロッキングを行い、４℃で一晩保管した。本ＥＬＩＳＡ法については、出願番号ＰＣＴ／ＪＰ２００６／３２２５０５に開示されている。血漿を、動物血清などを含む希釈緩衝液（５０ｍＭ  Ｔｒｉｓ−Ｃｌ  ｐＨ８．０，０．１５Ｍ  ＮａＣｌ）で適当に希釈したものを加え２時間室温でインキュベートした。次いで、動物血清などを含むＰＢＳ（−）で２０μｇ／ｍＬとなるように希釈したＨＲＰＯ（ホースラディッシュペルオキシダーゼ）標識Ｆａｂ’化ＰＰＭＸ０１０５抗体を加え２時間室温でインキュベートした。反応液を捨てた後、３００μＬ／ｗｅｌｌの洗浄緩衝液で５回洗浄した後、添付のプロトコールに従いＳｃｙｔｅｋ社のＴＭＢ（Ｃａｔ＃ＴＭ４９９９）を用いて発色させ、マイクロプレートリーダーで吸光度を測定した。サンプル中のＰＴＸ３タンパク質濃度の換算には、表計算ソフトＧｌａｐｈＰａｄ  ＰＲＩＳＭ（ＧｌａｐｈＰａｄ  ｓｏｆｔｗａｒｅ  Ｉｎｃ．ｖｅｒ．３．０）を用いて解析した。
【００６３】
対象患者のうち、脳塞栓１例、アテローム血栓性梗塞１例、ラクナ梗塞３例、一過性脳虚血性発作（ＴＩＡ）４例のＰＴＸ３濃度の変化を経時的に観察した結果を図１Ａに示す。また、ＴＩＡ症例のうち１例（男性、５６歳）の経時的なＰＴＸ３濃度の変動を図１Ｂに示す。本症例では第一回の一過性脳虚血発作後にＰＴＸ３が上昇してきた症例で、退院後に再発作をきたした。第二回の発作後はＰＴＸ３の値は低下し、以後は虚血発作を起こしていない。さらに、脳塞栓４例、ラクナ梗塞１１例、ＴＩＡ７例の経時的な平均ＰＴＸ３濃度の変動を図１Ｃに示す。
血中ＰＴＸ３濃度は、発症後およそ２４時間程度までに最大になり、その後低下した。
【００６４】
＜実施例２  疾患による血中ＰＴＸ３濃度変動の特徴＞
発症後４８時間以内のＰＴＸ３値の最大値を「ピーク値」、発症後６時間以内のＰＴＸ３値を「ベース値」として疾患毎の特徴について検討を行った。
ＴＩＡ、脳塞栓、ラクナ梗塞患者のピーク値の分布を比較した結果を図２Ａに示す。各疾患群の平均値±標準偏差（ＳＤ）はＴＩＡでは７．９５±３．５７ｎｇ／ｍＬ、脳塞栓では１２．０８±２．３０ｎｇ／ｍＬ、ラクナ梗塞では４．９２±２．０７ｎｇ／ｍＬであった。ＴＩＡ群と脳塞栓群の間にｐ＝０．０５、脳塞栓群とラクナ梗塞群の間にｐ＝０．０１と有意な差が認められた。
【００６５】
ＴＩＡ、脳塞栓、ラクナ梗塞患者のベース値の分布を比較した結果を図２Ｂに示す。また、ＴＩＡ、脳塞栓、ラクナ梗塞患者のベース値と正常者のＰＴＸ３濃度の分布の比較した結果を図２Ｃに示す。各疾患群の平均値±標準偏差（ＳＤ）はＴＩＡでは３．６９±１．２２ｎｇ／ｍＬ、脳塞栓では４．７３±２．１３ｎｇ／ｍＬ、ラクナ梗塞では２．４４±１．２８ｎｇ／ｍＬであった。正常者では１．９８±０．５５ｎｇ／ｍＬであった。
【００６６】
ＴＩＡ、脳塞栓、ラクナ梗塞患者のピーク値よりベース値を差し引いた値（ピーク値−ベース値）の分布を比較した結果を図２Ｄに示す。各疾患の平均値±標準偏差（ＳＤ）はＴＩＡでは４．２６±３．４４ｎｇ／ｍＬ、脳塞栓では７．３５±３．２８ｎｇ／ｍＬ、ラクナ梗塞では２．４８±１．８４ｎｇ／ｍＬであった。
脳塞栓群とラクナ梗塞群の間にｐ＝０．０５と有意な差が認められた。
【００６７】
以上の結果より、ＰＴＸ３のピーク値は脳塞栓で他の脳血管疾患と比較して高値であり、ラクナ梗塞のピーク値は脳塞栓およびＴＩＡと比較して低い傾向が認められ、また、脳塞栓はラクナ梗塞よりもピーク値が高く、この差は梗塞巣の範囲に起因することが示唆された。ラクナ梗塞患者の頭部ＣＴ画像、脳塞栓患者の頭部の拡散強調ＭＲＩ（diffusion MRI）画像を、図３Ａ、図３Ｂにそれぞれ示す。
【図面の簡単な説明】
【００６８】
【図１Ａ】脳塞栓１例、アテローム血栓性梗塞１例、ラクナ梗塞３例、一過性脳虚血性発作（ＴＩＡ）４例のＰＴＸ３濃度の変化を経時的に観察した結果を示す。
【図１Ｂ】ＴＩＡ症例のうち１例（男性、５６歳）の経時的なＰＴＸ３濃度の変動を示す。
【図１Ｃ】脳塞栓４例、ラクナ梗塞１１例、ＴＩＡ８例の経時的な平均ＰＴＸ３濃度の変動を示す。
【図２Ａ】ＴＩＡ例、脳塞栓、ラクナ梗塞のピーク値の分布を比較した結果を示す。
【図２Ｂ】ＴＩＡ、脳塞栓、ラクナ梗塞患者のベース値の分布を比較した結果を示す。
【図２Ｃ】ＴＩＡ、脳塞栓、ラクナ梗塞患者のベース値と正常者のＰＴＸ３濃度の分布の比較した結果を示す。
【図２Ｄ】ＴＩＡ、脳塞栓、ラクナ梗塞患者のピーク値とベース値の差分（ピーク値−ベース値）の分布を比較した結果を示す。
【図３Ａ】ラクナ梗塞患者の頭部ＣＴ画像を示す。
【図３Ｂ】脳塞栓患者の頭部の拡散強調ＭＲＩ（diffusion MRI）画像を示す。
【図２Ａ】
2009020049.tif 000002
【図２Ｂ】
2009020049.tif 000003
【図２Ｃ】
2009020049.tif 000004
【図２Ｄ】
2009020049.tif 000005
【図１Ａ】
2009020049.tif 000006
【図１Ｂ】
2009020049.tif 000007
【図１Ｃ】
2009020049.tif 000008
【図３Ａ】
2009020049.tif 000009
【図３Ｂ】
2009020049.tif 000010